(57)【要約】 【課題】縁石の視認性が高く、且つ縁石本体の構造をシンプルにすることができると共に標示体の製作及び交換が簡単である。【解決手段】帯状シート（２）の上面に、反射物（３）を表面に付着させた突起物（４）を所定間隔に多数形成させた標示体（Ａ）を用意し、縁石（１）の少なくとも側面に、標示体（Ａ）を帯状シート（２）の下面側から貼着する方法。  帯状シート（２）の上面に、反射物（３）を表面に付着させた突起物（４）を多数設けた標示体。【選択図】図１
2005188185.tif 000002
【特許請求の範囲】
【請求項１】
車道と歩道との境界部分に設けられた縁石（１）に対する位置を車の運転者に標示する方法であって、予め、帯状シート（２）の上面に、反射物（３）を表面に付着させた突起物（４）を所定間隔に多数形成させた標示体（Ａ）を用意し、前記縁石（１）の少なくとも側面に、前記標示体（Ａ）を前記帯状シート（２）の下面側から貼着したことを特徴とする縁石位置標示方法。
【請求項２】
車道と歩道との境界部分に設けられた縁石（１）に対する位置を車の運転者に標示する方法であって、予め、帯状シート（２）の上面に塗料で帯状ライン（５）を施工し、この帯状ライン（５）の上面に反射物（３）を表面に付着させた突起物（４）を所定間隔に多数形成させた標示体（Ｂ）を用意し、前記縁石（１）の少なくとも側面に、前記標示体（Ｂ）を前記帯状シート（２）の下面側から貼着したことを特徴とする縁石位置標示方法。
【請求項３】
帯状シート（２）の上面に、反射物（３）を表面に付着させた方形状，ボタン状，略半球状等の突起物（４）を所定間隔に多数設けたことを特徴とする標示体。
【請求項４】
帯状シート（２）の上面に塗料で帯状ライン（５）を形成し、この帯状ライン（５）の上面に、反射物（３）を表面に付着させた突起物（４）を所定間隔に多数形成したことを特徴とする標示体。
【請求項５】
前記帯状シート（２）が金属板あるいは樹脂板であり、且つ前記反射物（３）がガラスビーズあるいは反射板である請求項１又は２記載の縁石位置標示方法。
【請求項６】
前記帯状ライン（５）と前記突起物（４）とが、同一材料で且つ一体成形した請求項２記載の縁石位置標示方法。
【請求項７】
前記帯状ライン（５）と前記突起物（４）とが、同一材料で且つ一体成形した請求項４記載の標示体。
【発明の詳細な説明】
【技術分野】
【０００１】
本発明は夜間に車の運転者が車道と歩道を分離している縁石を見易くするための縁石位置標示方法及びその標示体に関する。
【背景技術】
【０００２】
従来、車道と歩道とを分離するために、その境界部分に設けた縁石に対し、夜間等に車の運転者が見易いようにヘッドライトの光を反射させる手段としては、例えば次のようなものがある。
【０００３】
先ず特開平１０−１２１４０８号では、縁石ブロックの上面長手方向または側面長手方向の略全長にわたって断面略半円形の凹所を形成し、この凹所に視線誘導標識を嵌め込むと共に接着剤で貼りつけた縁石ブロックが提案されている。
【０００４】
また特開２００２−２１２９１２号では、道路に沿って付設される縁石本体の上面に隆起凸部を形成し、この隆起凸部の起立壁面部に光反射板を付設して走行する自動車のヘッドライトの光をこの光反射板に照射し、その反射光によって運転者に前記縁石の付設位置を確認させ、縁石との衝突、あるいは乗り挙げの回避するようにした道路用縁石が提案されている。
【０００５】
更に、特開２００２−３５６８０６号には、縁石本体と、該縁石本体の上面から上方に突出した凸部と、該凸部の少なくとも一部の側面に設けられた反射板とを備えてなる縁石が提案されている。
【特許文献１】特開平１０−１２１４０８号
【特許文献２】特開２００２−２１２９１２号
【特許文献３】特開２００２−３５６８０６号
【発明の開示】
【発明が解決しようとする課題】
【０００６】
しかしながら、これら従来の縁石においては下記の問題点を有している。
【０００７】
先ず特開平１０−１２１４０８号では、夜光剤あるいは蛍光剤あるいは反射体を混合した視線誘導標識が縁石ブロックの表面と面一に嵌め込まれ突出していないため、夜光剤あるいは蛍光剤の発光や反射体からの反射光等が、運転者側に効率よく視認できにくく、特に雨天時にはその傾向が大きく危険性を有していた。
【０００８】
また特開２００２−２１２９１２号では、隆起凸部が縁石本体と一体的なコンクリートのため、隆起凸部が損傷すると、隆起凸部の交換が不可能であるため、縁石本体ごと全部を交換する必要が生じる。また隆起凸部が縁石本体の上面に形成したものであるから、光反射板に走行する自動車から跳ね上げた汚水や埃がかかり、光反射板上にドロや埃等が積り易く、そのため光反射板の反射効果が失われ、且つ縁石の側面に対する位置が正確に視認できない等の問題点を有していた。
【０００９】
更に特開２００２−３５６８０６号では、上記特開２００２−２１２９１２号と同様な問題点を有していた。
【００１０】
本発明は、上記従来の問題点に鑑み成されたものであり、縁石の視認性が高く、且つ縁石本体の構造をシンプルにすることができると共に反射物を有する標示体の製作及び交換が簡単な縁石位置標示方法及びその標示体を提供することを目的とする。
【課題を解決するための手段】
【００１１】
本発明の縁石位置標示方法は、車道と歩道との境界部分に設けられた縁石（１）に対する位置を車の運転者に標示する方法であって、予め、帯状シート（２）の上面に、反射物（３）を表面に付着させた突起物（４）を所定間隔に多数形成させた標示体（Ａ）を用意し、前記縁石（１）の少なくとも側面に、前記標示体（Ａ）を前記帯状シート（２）の下面側から貼着した方法である。  
【００１２】
また本発明の他の縁石位置標示方法は、車道と歩道との境界部分に設けられた縁石（１）に対する位置を車の運転者に標示する方法であって、予め、帯状シート（２）の上面に塗料で帯状ライン（５）を施工し、この帯状ライン（５）の上面に反射物（３）を表面に付着させた突起物（４）を所定間隔に多数形成させた標示体（Ｂ）を用意し、前記縁石（１）の少なくとも側面に、前記標示体（Ｂ）を前記帯状シート（２）の下面側から貼着した方法である。
【００１３】
また本発明の標示体は、帯状シート（２）上面に、反射物（３）を表面に付着させた方形状，ボタン状，略半球状等の突起物（４）を所定間隔に多数設けたものである。
【００１４】
また本発明の他の標示体は、帯状シート（２）の上面に塗料で帯状ライン（５）を形成し、この帯状ライン（５）の上面に、反射物（３）を表面に付着させた突起物（４）を所定間隔に多数形成したものである。
【００１５】
また本発明の縁石位置標示方法においては、前記帯状シート（２）が金属板あるいは樹脂板であり、且つ前記反射物（３）がガラスビーズあるいは反射板であるのが好ましい。
【００１６】
また本発明の縁石位置標示方法においては、前記帯状ライン（５）と前記突起物（４）とが、同一材料で且つ一体成形するのが製作上容易となり好ましい。
【００１７】
また本発明の標示体においては、前記帯状ライン（５）と前記突起物（４）とが、同一材料で且つ一体成形するのが製作上容易となり好ましい。
【発明の効果】
【００１８】
本発明は上記構成にしたことにより、以下の効果を奏する。
【００１９】
本発明の縁石位置標示方法においては、帯状シート（２）の上面に、反射物（３）を表面に付着させた突起物（４）を所定間隔に多数形成させた標示体（Ａ）を縁石（１）の少なくとも側面に貼着する方法であるから、縁石（１）の側面側から突出した突起物（４）が自動車のヘッドライトの光をよく反射し、運転者が夜間や雨天の際にも確実に視認できる。また標示体（Ａ）が縁石（１）に貼着させるものであるから、新しいものや施工したどの縁石（１）にも自由に貼着できる。
【００２０】
また本発明の請求項２の縁石位置標示方法においては、帯状シート（２）の上面に塗料で帯状ライン（５）を施工し、この帯状ライン（５）の上面に反射物（３）を表面に付着させた突起物（４）を所定間隔に多数形成させた標示体（Ｂ）を使用するものであるから、前記した標示体（Ａ）を使用する方法と同様な効果を有する上に、標示体（Ｂ）を製作する際に、突起物（４）が帯状ライン（５）と同時に一体成形が可能となり、製作上極めて容易で且つ帯状シート（２）の上面に突起物（４）が帯状ライン（５）を介して強固に固着できる利点を有する。
【００２１】
また本発明の請求項３の標示体においては、帯状シート（２）上面に、反射物（３）を表面に付着させた突起物（４）を所定間隔に多数形成したものであるから、縁石（１）のどの部分に対しても自由に貼着可能とし、且つ突起物（４）の反射性により、運転者の視認性もよく、更に標示体（Ａ）の損傷や破損時においても、取り替え補修が容易であり、また現在設置されている現存の縁石（１）に対しても取付けが容易にできる。
【００２２】
また本発明の請求項４の標示体においては、前記請求項３の標示体と同様な効果を有する上に、帯状シート（２）上面に突起物（４）が帯状ライン（５）を介して強固に固着できると共に突起物（４）と帯状ライン（５）とが一体形成を可能とするものである。
【発明を実施するための最良の形態】
【００２３】
以下、図面を参照して本発明を実施するための最良の形態について説明する。
【００２４】
図１は本発明の標示方法に係る実施の形態を示す斜視図、図２は本発明の標示体を示す斜視図、図３は本発明の他の標示方法に係る実施の形態を示す斜視図、図４は本発明の他の標示体を示す斜視図、図５、６は本発明の標示体の突起物の形状を示す斜視図である。
【００２５】
（１）は車道と歩道との境界部分に施工するコンクリート製の縁石であり、通常略直方体状に形成されたものである。
【００２６】
（２）は帯状シートであり、該帯状シート（２）は金属製あるいは樹脂製の板状のものが使用され、容易に湾曲できるものが施工上好ましい。また金属製では特に防錆効果の大きい素材が好ましく、例えばステンレス，アルミニウム等の板が使用され、樹脂製においては耐候性，耐衝撃性の樹脂板が好ましい。
【００２７】
（３）は反射物であり、該反射物（３）としては、ガラスビーズが突起物（４）の表面に付着させるのに容易であり、且つ反射性も高く好ましい。このガラスビーズとしては、一般に道路標示ラインに使用される屈曲率が約1.5の一般ガラスビーズあるいは屈曲率が約1.9の高輝度ガラスビーズ等を使用するとよい。またガラスビーズを突起物（４）に付着させるには、突起物（４）の成形時に固化しない状態で表面にガラスビーズを散布することにより、突起物（４）の固化により突起物（４）の表面に付着する。更に、突起物（４）が固化状のものは接着剤を突起物（４）の表面に塗布し、次いでガラスビーズを散布することにより付着させればよい。また反射物（３）の他のものとしては、金属，ガラス製の反射板が使用され、突起物（４）の表面に接着剤で付着させる。
【００２８】
（４）は図２、図４〜６に示すように帯状シート（２）の上面に形成した突起物であり、該突起物（４）は予め突起物（４）自体を型で製作し、それを帯状シート（２）の上面に接着させればよい。また突起物（４）の素材は、樹脂製，硬質ゴム製，金属製，ガラス製等であるが、特には道路標示用の塗料を用いるのが成形において好ましく、また反射物（３）にガラスビーズを使用した際に、そのガラスビーズが突起物（４）の成形時に突起物（４）の表面に付着し易く、反射物（３）と突起物（４）との付着関係においても塗料を用いることが好ましい。
尚、突起物（４）の形状としては、図１〜４の方形状，図５のボタン状，図６の略半球状等であり、通常これらの形状の中から一つを選んで使用され、方形状の場合は縦列に等間隔で多数配列させると反射面が運転者に多く向くため、反射性の点で好ましい（図２、図４参照）。また上記の方形状，ボタン状，略半球状を組合せた突起物（４）でもよい。
【００２９】
（５）は帯状ラインであり、帯状シート（２）の上面に適宜巾にて塗料で約２〜３mm程度の厚さでライン状に塗布したものである。これに使用する塗料は限定されないが、道路標示用に使用されるものが耐久性及び前記突起物（４）と一体成形するのに特に好ましい。
【００３０】
（Ａ）、（Ｂ）はそれぞれ標示体であり、標示体（Ａ）は、帯状シート（２）と、反射物（３）を表面に付着させた突起物（４）とから成り、該突起物（４）が帯状シート（２）の上面に所定間隔で固着し形成したものである（図２参照）。
また標示体（Ｂ）は、帯状シート（２）と、反射物（３）を表面に付着させた突起物（４）と、帯状ライン（５）とから成り、帯状シート（２）の上面に帯状ライン（５）を施工し、該帯状ライン（５）の上面に突起物（４）を形成したものである（図４参照）。
この標示体（Ｂ）において、帯状シート（２）の上面に形成する突起物（４）と帯状ライン（５）に対しては、別々に形成してもよいが、一体的に形成するのがよく、これは先に本発明者が提案した実公平７−２１６０８の施工装置を使用することにより、突起物（４）と帯状ライン（５）とが一体的に同時に形成できるのである。また標示体（Ｂ）の突起物（４）の形状は標示体（Ａ）と同様な形状である。
【００３１】
次に、これらを使用した本発明の縁石位置標示方法について説明すると、先ず請求項１の発明においては、図１に示すように、予め、帯状シート（２）の上面に、反射物（３）を表面に付着させた突起物（４）を所定間隔に多数形成させた標示体（Ａ）を製作して用意する。そして帯状シート（２）の下面側に接着剤を塗布した後、それを縁石（１）の少なくとも車道側の側面に押しつけて前記標示体（Ａ）を貼着して固定させる。この標示体（Ａ）の貼着は、縁石（１）に沿って連続又は適宜な間隔で貼着すればよい。
【００３２】
また請求項２の縁石位置標示方法について説明すると、これは、図２に示すように、請求項１の標示方法との違いは、標示体（Ｂ）を使用する点であり、この標示体（Ｂ）を用意し、それを縁石（１）の少なくとも車道側に貼着し固定するものであり、その貼着方法も前記した請求項１の貼着方法と同様である。
【産業上の利用可能性】
【００３３】
本発明において、縁石位置標示方法及び標示体は土木工事における縁石の位置標示、あるいはトンネル内の危険箇所における位置標示、その他運転者に危険を認知させる物に対しても利用可能である。
【図面の簡単な説明】
【００３４】
【図１】本発明の標示方法に係る実施の形態を示す斜視図である。
【図２】本発明の標示体を示す斜視図である。
【図３】本発明の他の標示方法に係る実施の形態を示す斜視図である。
【図４】本発明の他の標示体を示す斜視図である。
【図５】本発明の標示体の突起物の形状を示す斜視図である。
【図６】本発明の標示体の突起物の他の形状を示す斜視図である。
【符号の説明】
【００３５】
Ａ，Ｂ  標示体
１  縁石
２  帯状シート
３  反射物
４  突起物
５  帯状ライン
【図１】
2005188185.tif 000003
【図２】
2005188185.tif 000004
【図３】
2005188185.tif 000005
【図４】
2005188185.tif 000006
【図５】
2005188185.tif 000007
【図６】
2005188185.tif 000008